(57)【特許請求の範囲】
【請求項１】
紐状の中軸部材と、
紐状部材が波形に形成された部材であって、該波形が前記中軸部材の長手方向に沿って延び、該波形の一方の側の頂部領域が前記中軸部材に接続された少なくとも１つの波形部材と、
を備え、
前記波形部材として、延在方向における頂部間の距離が略同一な第１の波形部材及び第２の波形部材を備え、
前記第１の波形部材及び前記第２の波形部材が１本の紐状部材である前記中軸部材を介して反対側に隣接して配置され、前記第１の波形部材及び前記第２の波形部材の前記中軸部材側の頂部領域が前記中軸部材に接続され、
前記中軸部材の長手方向において、前記第１の波形部材及び前記第２の波形部材のうちの一方の部材における前記中軸部材との接続領域の位置が、他方の部材の前記頂部領域の位置に略一致し、
前記中軸部材の常に両側に前記第１の波形部材及び前記第２の波形部材が存在し、
前記第１の波形部材及び前記第２の波形部材に擬毛が植設されることを特徴とする擬毛植設部材。
【請求項２】
前記第１の波形部材の前記中軸部材に対して外側に凸の波形と、前記第２の波形部材の前記中軸部材に対して外側に凸の波形とが１ピッチ分位相がずれて配置されていることを特徴とする請求項１に記載の擬毛植設部材。
【請求項３】
前記第１の波形部材及び前記第２の波形部材の波形の前記頂部領域及びその周辺領域が所定の長さにわたって前記中軸部材に接続されていることを特徴とする請求項１または２に記載の擬毛植設部材。
【請求項４】
長手方向がかつらベースの外縁に沿うように該かつらベースに取り付けられ、
該かつらベースの外縁から外側に出た前記波形に被装着者の自毛を挿入して、前記被装着者の頭部に該かつらベースを固定することを特徴とする請求項１から３の何れか１項に記載の擬毛植設部材。
【請求項５】
ヘアエクステンションとして用いられる請求項１から３の何れか１項に記載の擬毛植設部材。
【請求項６】
請求項１から３の何れか１項に記載の擬毛植設部材を備えたことを特徴とするかつらベース。
【請求項７】
外縁部材を備え、
複数の前記擬毛植設部材が前記外縁部材に取り付けられていることを特徴とする請求項６に記載のかつらベース。
【請求項８】
前記擬毛植設部材が互いに交差するように配置されたことを特徴とする請求項６または７に記載のかつらベース。
【発明の詳細な説明】
【技術分野】
【０００１】
本開示は、擬毛を植設して用いる擬毛植設部材、及びこの擬毛植設部材を備えたかつらベースに関する。
【背景技術】
【０００２】
かつらベースを構成する擬毛植設部材に擬毛が植設されて、かつらが形成される。このようなかつらベースの中には、擬毛植設部材の間から被装着者の自毛を引き出すことができるように、紐状の擬毛植設部材を、間隔をあけて直線上に配置したものが提案されている（例えば、特許文献１参照）。
【先行技術文献】
【特許文献】
【０００３】
【特許文献１】特開２０１３−５３３８８号
【発明の概要】
【発明が解決しようとする課題】
【０００４】
しかしながら、直線上に配置された紐状の擬毛植設部材に擬毛を植設した場合、毛植方向が一定になり、引き出した被装着者の自毛と上手く絡ませることが困難になる。また、植設する擬毛の量が増えると、紐状の擬毛植設部材が太く見えて、露見する可能性が高まる。一方、露見を防ぐために、植設する擬毛の量を減らすと、ボリューム感が乏しくなるという問題が生じる。
【０００５】
本開示は、上記の課題を解決するものであり、被装着者の自毛と絡ませ易く、ボリューム感を有するとともに、露見しにくい擬毛植設部材、及びこの擬毛植設部材を備えたかつらベースを提供することを目的とする。
【課題を解決するための手段】
【０００６】
上記の課題を解決するため、本開示の１つの実施態様は、
紐状の中軸部材と、
紐状部材が波形に形成された部材であって、該波形が前記中軸部材の長手方向に沿って延び、該波形の一方の側の頂部領域が前記中軸部材に接続された少なくとも１つの波形部材と、
を備え、
前記波形部材に擬毛が植設される擬毛植設部材である。
【０００７】
本開示のその他の実施態様は、
上記の擬毛植設部材を備えたかつらベースである。
【発明の効果】
【０００８】
本開示によれば、被装着者の自毛と絡ませ易く、ボリューム感を有するとともに、露見しにくい擬毛植設部材、及びこの擬毛植設部材を備えたかつらベースを提供することができる。
【図面の簡単な説明】
【０００９】
【図１】本開示の第１の実施形態に係る擬毛植設部材を模式的に示す図である。
【図２】本開示の第２の実施形態に係る擬毛植設部材を模式的に示す図である。
【図３】本開示の第３の実施形態に係る擬毛植設部材を模式的に示す図である。
【図４Ａ】部分かつら用の本開示の第１の実施形態に係るかつらベースを模式的に示す平面図である。
【図４Ｂ】部分かつら用の本開示の第２の実施形態に係るかつらベースを模式的に示す平面図である。
【図５Ａ】部分かつら用の本開示の第３の実施形態に係るかつらベースを模式的に示す平面図である。
【図５Ｂ】部分かつら用の本開示の第４の実施形態に係るかつらベースを模式的に示す平面図である。
【図５Ｃ】部分かつら用の本開示の第５の実施形態に係るかつらベースを模式的に示す平面図である。
【図６】本実施形態に係る擬毛植設部材がかつらベースの外縁に沿うように取り付けられた一例を模式的に示す図である。
【図７】本開示の擬毛植設部材の実施例１を示す図（写真）である。
【図８】本開示の擬毛植設部材の実施例２を示す図（写真）である。
【図９Ａ】本開示のかつらベース及びかつらの実施例を裏面側から見た図（写真）である。
【図９Ｂ】本開示のかつらベース及びかつらの実施例を表面側から見た図（写真）である。
【発明を実施するための形態】
【００１０】
以下、図面を参照しながら、本発明を実施するための実施形態や実施例を説明する。なお、以下に説明する実施形態や実施例は、本発明の技術思想を具体化するためのものであって、特定的な記載がない限り、本発明を以下のものに限定しない。
各図面中、同一の機能を有する部材には、同一符号を付している場合がある。要点の説明または理解の容易性を考慮して、便宜上実施形態や実施例に分けて示す場合があるが、異なる実施形態で示した構成の部分的な置換または組み合わせは可能である。後述の実施形態では、前述と共通の事柄についての記述を省略し、異なる点についてのみ説明する。特に、同様の構成による同様の作用効果については、実施形態や実施例ごとには逐次言及しないものとする。各図面が示す部材の大きさや位置関係等は、説明を明確にするため、誇張して示している場合もある。なお、図１〜図３、図７、８に示す擬毛植設部材の説明では、図示された上下方向に従って記載を行う。
【００１１】
(第１の実施形態に係る擬毛植設部材）
はじめに、図１を参照しながら、本開示の第１の実施形態に係る擬毛植設部材の説明を行う。図１は、本開示の第１の実施形態に係る擬毛植設部材を模式的に示す図である。
本実施形態に係る擬毛植設部材２は、紐状の中軸部材４と、紐状部材が波形に形成された波形部材６とを備える。波形部材６は、波形が中軸部材４の長手方向に沿って延び、波形の一方の側の頂部領域Ｐが中軸部材４に接続されている。
【００１２】
中軸部材４及び波形部材６を構成する紐部材としては、任意の合成繊維や天然繊維からなる糸を用いた撚紐、編紐、織紐または組紐を用いることができる。波形部材６として、１本の糸を用いることもできる。中軸部材４の太さは、波形部材６の太さより太いことが好ましい。中軸部材４の太さとして０．１０〜５．０ｍｍを例示することができ、好ましくは０．１４〜３．０ｍｍである。波形部材６の太さとして０．０５〜２．０ｍｍを例示することができ、好ましくは、０．０７〜１．０ｍｍである。
【００１３】
紐状部材６の波形の一方の側の頂部領域Ｐにおいて、紐状部材６を構成する糸を、中軸部材４の外縁近傍の糸の間に通すことにより、頂部領域Ｐを紐状部材６に接続することができる。ただし、これは一例であって、合成繊維であれば融着で接合することもできるし、接着剤を用いることもできるし、その他の任意の接合方法を採用できる。
【００１４】
この擬毛植設部材２の波形部材６に、擬毛Ｇを植設することができる。その場合、既知の任意の結び方で、擬毛Ｇを波形部材６に植設することができる。複数の擬毛Ｇが植設された擬毛植設部材２を、被装着者の自毛に取り付けて、ヘアエクステンションとして用いることもできる。また、擬毛植設部材２を備えたかつらベースを形成して、波形部材６に擬毛Ｇを植設して、かつらとして用いることもできる。
【００１５】
何れの場合においても、波形の部分に擬毛Ｇは植設されるので、毛植方向が一定にはならず、擬毛Ｇを被装着者の自毛と上手く絡ませることができる。ヘアエクステンションやかつらのボリューム感を増すために、波形の部分に植設する擬毛Ｇの量を増やしたとしても、紐状の中軸部材４が太く見えることはなく、逆に擬毛Ｇによって、中軸部材４が露見しにくくなる。
【００１６】
これにより、被装着者の自毛と絡ませ易く、ボリューム感を有するとともに、露見しにくい擬毛植設部を実現できる。 なお、波形部材６のみに擬毛Ｇを植設することが好ましい態様といえるが、これに限られるものではない。例えば、中軸部材４が太く見える虞のない範囲内において、中軸部材４に擬毛Ｇを植設する場合もあり得る。
【００１７】
(第２の実施形態に係る擬毛植設部材）
次に、図２を参照しながら、本開示の第２の実施形態に係る擬毛植設部材の説明を行う。図２は、本開示の第２の実施形態に係る擬毛植設部材を模式的に示す図である。
本実施形態に係る擬毛植設部材２では、波形部材６として、同形の波形を有する第１の波形部材６Ａ及び第２の波形部材６Ｂを備える点で、上記の第１の実施形態と異なる。
【００１８】
図２に示すように、本実施形態では、中軸部材４が、同位相で上下に配置された第１の波形部材６Ａ及び第２の波形部材６Ｂの間に位置している。そして、上側に位置する第１の波形部材６Ａの波形の下側の頂部領域Ｑ、及び下側に位置する第２の波形部材６Ｂの波形の上側の頂部領域Ｒが中軸部材４に接続されている。別の表現をすれば、第１の波形部材６Ａ及び第２の波形部材６Ｂが中軸部材４を介して反対側に配置され、第１の波形部材６Ａ及び第２の波形部材６Ｂの中軸部材４側の頂部領域Ｑ、Ｒが中軸部材４に接続されている。
【００１９】
第１の波形部材６Ａの上方向に凸の波形Ａ１及び中軸部材４で周囲を囲まれた空間Ｘが形成され、第２の波形部材６Ｂの下方向に凸の波形Ｂ１及び中軸部材４で周囲を囲まれた空間Ｙが形成される。第１の波形部材６Ａの上方向に凸の波形Ａ１及び第２の波形部材６Ｂの下方向に凸の波形Ｂ１は、中軸部材４の長手方向において、１ピッチ分位相がずれて配置されている。
【００２０】
本実施形態では、中軸部材４に対して上下に配置された２つの波形部材６Ａ、６Ｂに、擬毛Ｇを植設することにより、より変化に富んだ毛植位置及び毛植方向で擬毛Ｇを植設することができる。これにより、よりボリューム感を増大させるとともに、自毛と馴染んだより自然な外観を得ることができる。
【００２１】
ただし、第１の波形部材６Ａ及び第２の波形部材６Ｂが全く同形の波形を有する場合には限られない。少なくとも、第１の波形部材６Ａ及び第２の波形部材６Ｂの波形の延在方向において、頂部間の距離が略同一であればよい。ここで、「頂部間の距離が略同一」には、波形における同じ側の隣接する頂部の間の距離が略同一の場合も、波形における互いに反対側の隣接する頂部の間の距離が略同一の場合も含まれる。
更に、第１の波形部材６Ａ及び第２の波形部材６Ｂが同位相で上下に配置されている場合に限られない。少なくとも、中軸部材４の長手方向において、第１の波形部材６Ａとの接続箇所Ｑ及び第２の波形部材６Ｂとの接続箇所Ｒが交互に配置されていれば、ボリューム感の増大と自然な外観とを両立できる。
特に、後述する図８に示すように、中軸部材４の長手方向において、第１の波形部材６Ａ及び第２の波形部材６Ｂのうちの一方の部材における中軸部材４との接続領域の位置が、他方の部材の頂部領域の位置に略一致していることが好ましい（図８の破線参照）。その場合には、ボリューム感を増大させるとともに、自毛と馴染んだより自然な外観を得ることができる。
【００２２】
(第３の実施形態に係る擬毛植設部材）
次に、図３を参照しながら、本開示の第３の実施形態に係る擬毛植設部材の説明を行う。図３は、本開示の第３の実施形態に係る擬毛植設部材を模式的に示す図である。
本実施形態に係る擬毛植設部材２では、第１の波形部材６Ａ及び第２の波形部材６Ｂの波形の頂部領域Ｑ、Ｒ及びその周辺領域が、所定の長さＬにわたって中軸部材４に接続されている点で、上記の第２の実施形態と異なる。
これにより、第１の波形部材６Ａ及び第２の波形部材６Ｂの中軸部材４に対する接続強度が増大し、擬毛Ｇの毛植位置及び毛植方向に変化を付けることができる。
【００２３】
特に、図３に示すように、第１の波形部材６Ａの上方向に凸の波形Ａ１が存在する下側には波形が存在せず、第２の波形部材６Ｂの下方向に凸の波形Ｂ１が存在する上側には波形が存在しないようにすることが好ましい。このとき、第２の実施形態と同様に、第１の波形部材６Ａの波形Ａ１及び第２の波形部材６Ｂの波形Ｂ１は、中軸部材４の長手方向において、１ピッチ分位相がずれて配置されている。
【００２４】
これにより、第１の波形部材６Ａに植設された擬毛Ｇ及び第２の波形部材６Ｂに植設された擬毛Ｇの毛植位置及び毛植方向の変化を明確に示すことができるので、ボリューム感のあるより自然な外観を得ることができる。
【００２５】
（ヘアエクステンション）
上記の実施形態に係る擬毛植設部材２をヘアエクステンションとして用いる場合には例えば、リングに擬毛植設部材２及び被装着者の自毛を挿入した後、このリングを潰して、擬毛植設部材２を被装着者の頭部に装着することができる。また、接着等により擬毛植設部材２を被装着者の自毛に取り付けることもできる。更に、擬毛植設部材２の波形部材６（６Ａ、６Ｂ)に被装着者の自毛を通して結び付けることにより、擬毛植設部材２を被装着者の頭部に装着することもできる。
これにより、擬毛Ｇが被装着者の自毛と上手く絡んだ、ボリューム感に富んだヘアエクステンションを実現できる。
【００２６】
（擬毛植設部材を用いたかつらベース）
次に、図４Ａから図５Ｃを参照しながら、上記の実施形態に係る擬毛植設部材２を備えたかつらベースの説明を行う。図４Ａ、４Ｂには、部分かつらの実施形態を示し、図５Ａ〜５Ｃには、例えば、頭頂部に装着して用いるトップピースのような部分かつらの実施形態を示す。
【００２７】
(第１の実施形態に係るかつらベース）
はじめに、図４Ａを参照しながら、本開示の第１の実施形態に係るかつらベースの説明を行う。図４Ａは、部分かつら用の本開示の第１の実施形態に係るかつらベースを模式的に示す平面図である。
【００２８】
本実施形態に係るかつらベース１００は、上記の実施形態に係る擬毛植設部材２と、外縁部材１０とを備え、複数の擬毛植設部材２が外縁部材１０に取り付けられている。外縁部材１０は、被装着者の頭部の形状に対応した略卵形の外形を有し、中央部が開口された環状の平面形状を有する。
【００２９】
外縁部材１０は、合成繊維または天然繊維からなる任意の面部材（布部材、網目部材等）を用いることができる。かつらベース１００の強度を増すため、外縁部材１０において、面部材を折り込んだり、重ね合せたりして、縫着することもできる。また、折り込んだり、重ね合わせたりした部分の内部に、補強部材を配置することもできる。
【００３０】
本実施形態では、擬毛植設部材２の両端が、環状の外縁部材１０の対向する内側端部に取り付けられている。１つの方向に、略平行な４本の擬毛植設部材２が配置され、これと交わる方向に、略平行な４本の擬毛植設部材２が配置されている。これにより、擬毛植設部材が互いに交差する交差点Ｃが複数形成されている。
【００３１】
(第２の実施形態に係るかつらベース）
次に、図４Ｂを参照しながら、本開示の第２の実施形態に係るかつらベースの説明を行う。図４Ｂは、部分かつら用の本開示の第２の実施形態に係るかつらベースを模式的に示す平面図である。
本実施形態に係るかつらベース１００では、外縁部材１０が、上記の第１の実施形態と同様な環状の外縁部１０Ａに加えて、被装着者の分髪部に対応する分髪対応部１０Ｂを有する点で、第１の実施形態と異なる。外縁部１０Ａ及び分髪対応部１０Ｂは一体的に形成されている。
【００３２】
本実施形態では、擬毛植設部材２の一方の端部が外縁部１０Ａ内側端部に取り付けられ、他方の端部が分髪対応部１０Ｂに取り付けられている。このような擬毛植設部材２が、８本取り付けられている。本実施形態では、擬毛植設部材２が互いに交差する交差点Ｃは形成されていない。
【００３３】
(第３の実施形態に係るかつらベース）
次に、図５Ａを参照しながら、本開示の第３の実施形態に係るかつらベースの説明を行う。図５Ａは、部分かつら用の本開示の第３の実施形態に係るかつらベースを模式的に示す平面図である。
【００３４】
本実施形態に係るかつらベース１１０は、２つの外縁部材１２が、それぞれの両端で連結紐部材１４により繋がれて外形が構成されている。そして、擬毛植設部材２の一方の端部が、一方の外縁部材１２の端部に取り付けられ、擬毛植設部材２の略中央位置で連結紐部材１４に繋がれて折り返されて、擬毛植設部材２の他方の端部が、他方の外縁部材１２の端部に取り付けられている。これにより、擬毛植設部材２はＶ字形の形状で２つの外縁部材１２に取り付けられ、向きが逆の２つのＶ字形の外縁部材１２が形成されている。また、２つの外縁部材１２の幅方向の略中央位置で、２つの外縁部材１２の間を繋ぐように、更なる擬毛植設部材２が取り付けられている。これにより、擬毛植設部材２が互いに交差する交差点Ｃが複数形成されている。
【００３５】
(第４の実施形態に係るかつらベース）
次に、図５Ｂを参照しながら、本開示の第４の実施形態に係るかつらベースの説明を行う。図５Ｂは、部分かつら用の本開示の第４の実施形態に係るかつらベースを模式的に示す平面図である。
【００３６】
本実施形態に係るかつらベース１１０は、上記の第３の実施形態の連結紐部材１４の代わりに、擬毛植設部材２で２つの外縁部材１２の間を繋いでいる点で第３の実施形態と異なる。更に、上記の第３の実施形態では、擬毛植設部材２が１度折り返されてＶ字形の形状を有するが、本実施形態では、擬毛植設部材２が２度折り返されてＷ字形の形状を有する点で第３の実施形態と異なる。これにより、擬毛植設部材２が互いに交差する交差点Ｃが複数形成されている。その他の点については、基本的に、上記の第３の実施形態と同様である。
【００３７】
(第５の実施形態に係るかつらベース）
次に、図５Ｃを参照しながら、本開示の第５の実施形態に係るかつらベースの説明を行う。図５Ｃは、部分かつら用の本開示の第５の実施形態に係るかつらベースを模式的に示す平面図である。
【００３８】
本実施形態に係るかつらベース１１０でも、２つの外縁部材１２の配置は、上記の第３、第４の実施形態と同様である。本実施形態では、略平行に配置された５本の擬毛植設部材２が、２つの外縁部材１２の間を繋ぐように取り付けられている。更に、５本の擬毛植設部材２の略中央位置で、５本の擬毛植設部材２を繋ぐように、１本の擬毛植設部材２が取り付けられている。これにより、擬毛植設部材が互いに交差する交差点Ｃが複数形成されている。
【００３９】
なお、上記の実施形態では、かつらベース１００、１１０が、外縁部材１０、１２を有しているが、これに限られるものではない。後述する図９Ａに示すかつらベース１００のように、外縁部材１０、１２は有さず、互いに交差する複数の擬毛植設部材２で主に構成されている場合もあり得る。
【００４０】
以上のように、上記の実施形態に係るかつらベース１００、１１０では、中軸部材４と、波形部材６（６Ａ、６Ｂ）を有する擬毛植設部材２を備えるので、被装着者の自毛と絡ませ易く、ボリューム感を有するとともに、露見しにくいかつらベース１００、１１０を実現できる。
【００４１】
特に、複数の擬毛植設部材２が外縁部材１０、１２に取り付けられている場合には、外縁部材１０、１２により、かつらベースの強度を確保できるので、型崩れしにくいかつらベース１００、１１０が得られる。更に、複数の擬毛植設部材２の間から被装着者の自毛を引き出して、擬毛植設部材２に植設された擬毛と馴染ませることができる。これにより、ボリューム感が有るとともに、露見しにくく、かつ自然な外観を有するかつらベース１００、１１０を提供することができる。
【００４２】
更に、複数の擬毛植設部材２が互いに交差するように配置される場合には、擬毛Ｇの毛植位置や毛植方向を様々に変化させることができるので、ボリューム感の有る変化に富んだ自然な外観が得られる。
【００４３】
（かつらベースに取り付けられた擬毛植設部材）
次に、図６を参照しながら、擬毛植設部材をかつらベースに取り付けて活用する実施形態の説明を行う。図６は、本実施形態に係る擬毛植設部材がかつらベースの外縁に沿うように取り付けられた一例を模式的に示す図である。
ここでは、図２または図３に示すような第１の波形部材６Ａ及び第２の波形部材６Ｂを有する擬毛植設部材２を用いた場合を示す。本実施形態では、部分かつら用のかつらベース１００を示し、外縁部材１０の内側に網目部１６を有する。網目部１６だけでなく、外縁部材１０にも擬毛Ｇを植設することができる。
【００４４】
擬毛植設部材２の長手方向が、かつらベース１００の外縁に沿うように、擬毛植設部材２の中軸部材４が、かつらベース１００の外縁部材１０に縫着されている。このとき、第１の波形部材６Ａの波形が、かつらベース１００の外縁から外に突出するように配置されている。
このような配置により、かつらベース１００の外縁から外側に出た第１の波形部材６Ａの波形に、被装着者の自毛Jを挿入して結び付けて、かつらベース１００を被装着者の頭部に固定することができる。
【００４５】
このような擬毛植設部材２の波形に自毛Jを挿入して、かつらベース１００を被装着者の頭部に固定することにより、留め具等を用いた場合に比べて、かつらの装着を露見しにくくすることができる。更に、複数の擬毛植設部材２の波形に自毛Jを挿入することにより、確実に、かつらベース１００を被装着者の頭部に固定することができる。
【００４６】
本実施形態では、第１の波形部材６Ａ及び第２の波形部材６Ｂを有する擬毛植設部材２を用いた場合を示すが、これに限られるものではない。図１に示すような１つの波形部材６のみを有する擬毛植設部材２を用いる場合もあり得る。この場合には、波形部材６をかつらベース１００の外縁から外に突出するように配置して、かつらベース１００の外縁から外側に出た波形部材６の波形に、被装着者の自毛Jを挿入することにより、同様に、かつらベース１００を被装着者の頭部に固定することができる。
【００４７】
（実施例）
次に、図７、図８及び図９Ａ、９Ｂを参照しながら、実際に製造した擬毛植設部材及びかつらベースを実施例として説明する。
【００４８】
＜実施例１＞
はじめに、図７及び図８を参照しながら、実際に製造した擬毛植設部材の説明を行う。図７は、本開示の擬毛植設部材の実施例１を示す図（写真）である。
実施例１は、概ね図３に示す第３の実施形態に係る擬毛植設部材に対応するものである。特に、第１の波形部材６Ａの波形が存在する下側には波形が存在せず、第２の波形部材６Ｂの波形が存在する上側には波形が存在しないように形成されている。
【００４９】
＜実施例２＞
図８は、本開示の擬毛植設部材の実施例２を示す図（写真）である。
実施例２は、第３の実施形態に係る擬毛植設部材に対応するその他の形態を示す。実施例２では、第１の波形部材６Ａ及び第２の波形部材６Ｂにおける中軸部材４との接続領域の長さが、実施例１より短くなっている。これにより、第１の波形部材６Ａ及び第２の波形部材６Ｂの波形が存在する下側では、中軸部材４との接続領域の両側に波形の一部が存在する。
実施例１及び実施例２の何れの場合も、中軸部材４の長手方向において、第１の波形部材１２Ａ及び第２の波形部材１２Ｂのうちの一方の部材における中軸部材４との接続領域の位置が、他方の部材の前記頂部領域の位置に略一致し、第１の波形部材１２Ａ及び第２の波形部材１２Ｂの波形の頂部領域及びその周辺領域が所定の長さにわたって中軸部材４に接続されている。
【００５０】
＜実施例３＞
次に、図９Ａ、９Ｂを参照しながら、実際に製造したかつらベースの説明を行う。図９Ａは、本開示のかつらベース及びかつらの実施例を裏面側から見た図（写真）であり、図９Ｂは、表面側から見た図（写真）である。
上記のように、このかつらベース１００は、主に、互いに交差する複数の擬毛植設部材２で構成され、めくれ上がり等を防ぐため、外周に連結紐部材１４が取り付けられている。このかつらベース１００に擬毛Ｇが植設されて、全頭かつら２００が形成されている。
【００５１】
以上のように、上記の第１から第３の実施形態に示す擬毛植設部材２は、紐状の中軸部材４と、紐状部材が波形に形成された部材であって、波形が中軸部材４の長手方向に沿って延び、波形の一方の側の頂部領域Ｐ（Ｑ、Ｒ）が中軸部材４に接続された少なくとも１つの波形部材６（６Ａ、６Ｂ）と、を備え、波形部材６（６Ａ、６Ｂ）に擬毛Ｇが植設されるようになっている。
これにより、被装着者の自毛と絡ませ易く、ボリューム感を有するとともに、露見しにくい擬毛植設部を実現できる。
【００５２】
特に、上記の第２、第３の実施形態に示す擬毛植設部材２では、波形部材６として、延在方向における頂部間の距離が略同一な第１の波形部材６Ａ及び第２の波形部材６Ｂを備え、第１の波形部材６Ａ及び第２の波形部材６Ｂが中軸部材４を介して反対側に配置され、第１の波形部材６Ａ及び第２の波形部材６Ｂの中軸部材４側の頂部領域Ｑ、Ｒが中軸部材４に接続され、中軸部材４の長手方向において、第１の波形部材１２Ａ及び第２の波形部材１２Ｂのうちの一方の部材における中軸部材４との接続領域の位置が、他方の部材の頂部領域の位置に略一致し、第１の波形部材６Ａ及び第２の波形部材６Ｂに擬毛Ｇが植設される。
これにより、ボリューム感を増大させるとともに、自毛と馴染んだより自然な外観を得ることができる。
【００５３】
特に、第１の波形部材６Ａ及び第２の波形部材６Ｂが同形の波形を有し、中軸部材４が、同位相で上下に配置された第１の波形部６Ａ材及び第２の波形部材６Ｂの間に位置することが好ましい。これにより、よりボリューム感を増大させるとともに、自毛と馴染んだより自然な外観を得ることができる。
【００５４】
更に、上記の第３の実施形態に示す擬毛植設部材２では、第１の波形部材６Ａ及び第２の波形部材６Ｂの波形の頂部領域Ｑ、Ｒ及びその周辺領域が所定の長さＬにわたって中軸部材４に接続されている。これにより、第１の波形部材６Ａ及び第２の波形部材６Ｂの中軸部材４に対する接続強度が増大し、擬毛Ｇの毛植位置及び毛植方向に変化を付けることができる。
【００５５】
特に、第１の波形部材６Ａの波形が存在する下側には波形が存在せず、第２の波形部材６Ｂの波形が存在する上側には波形が存在しないように形成することが好ましい。これにより、第１の波形部材６Ａに植設された擬毛Ｇ及び第２の波形部材６Ｂに植設された擬毛Ｇの毛植位置及び毛植方向の変化を明確に示すことができるので、ボリューム感のあるより自然な外観を得ることができる。
【００５６】
以上のように、本開示の実施の形態を説明したが、本開示内容は構成の細部において変化してもよく、実施の形態における要素の組合せや順序の変化等は請求された本開示の範囲および思想を逸脱することなく実現し得るものである。
【符号の説明】
【００５７】
２      擬毛植設部材
４      中軸部材
６      波形部材
６Ａ    第１の波形部材
６Ｂ    第２の波形部材
１０    外縁部材（部分かつら用）
１０Ａ  外縁部
１０Ｂ  分髪対応部
１２    外縁部材（部分かつら用）
１４    連結紐部材
１６    網目部
１００  かつらベース（全頭かつら用）
１１０  かつらベース（部分かつら用）
２００  かつら
２１０  ヘアエクステンション
Ｃ      交差点
Ｇ      擬毛
Ｊ      自毛
【要約】
【課題】  被装着者の自毛と絡ませ易く、ボリューム感を有するとともに、露見しにくい擬毛植設部材、及びこの擬毛植設部材を備えたかつらベースを提供する。
【解決手段】  紐状の中軸部材４と、紐状部材が波形に形成された部材であって、波形が中軸部材４の長手方向に沿って延び、波形の一方の側の頂部領域Ｑ、Ｒが中軸部材４に接続された少なくとも１つの波形部材６Ａ、６Ｂと、を備え、波形部材６Ａ、６Ｂに擬毛Ｇが植設される擬毛植設部材２及びこの擬毛植設部材２を備えたかつらベースを提供する。
【選択図】  図２【図１】
0006789427.tif 000002
【図２】
0006789427.tif 000003
【図３】
0006789427.tif 000004
【図４Ａ】
0006789427.tif 000005
【図４Ｂ】
0006789427.tif 000006
【図５Ａ】
0006789427.tif 000007
【図５Ｂ】
0006789427.tif 000008
【図５Ｃ】
0006789427.tif 000009
【図６】
0006789427.tif 000010
【図７】
0006789427.tif 000011
【図８】
0006789427.tif 000012
【図９Ａ】
0006789427.tif 000013
【図９Ｂ】
0006789427.tif 000014